(57)【特許請求の範囲】
【請求項１】
出窓を躯体に取付ける出窓の取付構造であって、
上階の床の一部が外壁より突出され、この突出部分に下階の出窓が吊持されていることを特徴とする出窓の取付構造。
【請求項２】
請求項１記載の出窓の取付構造において、
前記外壁より突出している上階の床の突出部分に、上階の出窓が支持されていることを特徴とする出窓の取付構造。
【請求項３】
請求項２記載の出窓の取付構造において、前記上階の出窓の前面が躯体上に敷設された屋根の軒先より内側に配置され、かつ該上階の出窓の上端部が屋根の軒先側に固定されていることを特徴とする出窓の取付構造。
【請求項４】
請求項１〜３のいずれかに記載の出窓の取付構造において、前記上階の床が、桟材を矩形枠状に組んでなる枠体の上面に面材が貼設された床パネルで構成されていることを特徴とする出窓の取付構造。
【請求項５】
請求項１〜３のいずれかに記載の出窓の取付構造において、前記上階の床が、床梁とこの床梁上に設けられた床板とで構成されていることを特徴とする出窓の取付構造。
【発明の詳細な説明】
【０００１】
【発明の属する技術分野】
本発明は、住宅等において、躯体に出窓を取付ける際の、出窓の取付構造に関する。
【０００２】
【背景の技術】
住宅における出窓は、例えば、躯体の外壁に形成された開口縁部に、該外壁から突出して設けられた一対の側板と、該一対の側板の上下端部に、それぞれ取付けられて、出窓の庇となる上板と、出窓の床となる下板と、前記一対の側板および上下板の前縁部に形成された開口部に取付けられたサッシ等の建具とによって構成されている。
そして、前記構成の出窓を躯体の外壁に取付ける場合、一対の側板および下板を躯体の外壁に当接してボルト等によって固定することにより、出窓自体を躯体に支持させて取付けている。
【０００３】
【発明が解決しようとする課題】
ところで、出窓において、採光を大きくとるために出窓の側面側に大きく開口をとる場合、出窓の側面側のサッシ枠等の建具枠を直接躯体の外壁に固定することがあるが、建具枠は、さほど剛性を有するものではないので、出窓を躯体の外壁に確実に支持させるために、出窓の下板を、外壁にくい込ませてボルトによって固定する場合がある。したがって、この場合外壁に下板をくい込ませるための凹溝を形成する作業に手間がかかるという問題がある。
また、躯体の外壁からの出窓の突出量を大きくするに伴って、出窓が大型化し、出窓自体の重量が大きくなるので、前記下板を躯体の外壁にくい込ませて固定するだけでは、出窓を躯体に確実に支持するのが困難であった。
本発明は上記事情に鑑みてなされたもので、出窓を躯体に確実に支持させることができる出窓の取付構造を提供することを目的としている。
【０００４】
【課題を解決するための手段】
上記目的を達成するために、本発明の請求項１の出窓の取付構造は、図４に示すように、上階の床１７の一部を外壁より突出させ、この突出部分１７ａに下階の出窓２を吊持させたものである。
【０００５】
前記上階の床１７は、躯体がパネル工法によって構築されるものである場合は、床パネル１７で構成され、躯体が在来の軸組工法によって構築されるものである場合は、床板とこれを支持する床梁で構成される。
前記突出部分１７ａに下階の出窓２を吊持する場合、該突出部分１７ａに、出窓２の上端部を当接しうえで、この突出部分１７ａから出窓２の上端部にボルト（胴差ボルト）３０を挿通してこれらを緊結することにより行う。
【０００６】
請求項１の出窓の取付構造にあっては、上階の床１７の、外壁より突出している突出部分１７ａに下階の出窓２を吊持しているので、出窓２を外壁に支持させなくても、躯体に確実に支持させることができる。
したがって、出窓２の側面側にサッシ枠等の建具枠を設けても、あるいは、外壁からの出窓２の突出量を大きくしても、該出窓２を躯体に確実に支持させることができる。
また、前記突出部分が出窓の庇となる上板を兼ねるので、上板を別途取付ける必要がない。
【０００７】
請求項２の出窓の取付構造は、請求項１において、前記外壁より突出している上階の床１７の突出部分１７ａに、上階の出窓３を支持させたものである。
【０００８】
前記突出部分１７ａに上下階２，３の出窓を支持させる場合、該突出部分１７ａに、上階の出窓３の下端部を当接するとともに、下階の出窓２の上端部を当接したうえで、この突出部分１７ａを挟んで、上階の出窓３の下端部と下階の出窓２の上端部とにボルト（胴差ボルト）３０を挿通して緊結することにより行う。
【０００９】
請求項２の出窓の取付構造にあっては、請求項１において、前記外壁より突出している上階の床１７の突出部分１７ａに、上階の出窓３を支持させたので、下階の出窓２と上階の出窓３とを一体的に躯体に確実に支持させることができる。また、前記突出部１７ａの上下にそれぞれ上階の出窓３と下階の出窓２が支持されているので、これら上下の出窓３，２は外観視において、一体的なものとなる。
【００１０】
請求項３の出窓の取付構造は、請求項２記載において、前記上階の出窓３の前面を躯体上に敷設された屋根７の軒先より内側に配置し、かつ該上階の出窓３の上端部を屋根７の軒先側に固定したものである。
【００１１】
前記上階の出窓３の上端部を躯体上の屋根７の軒先側に固定する場合、該屋根７の軒先を下方から支持している外壁９の上端部前面と屋根７の軒先裏面側とに、上階の出窓３の上端部を当接して固定することにより行う。
【００１２】
請求項３の出窓の取付構造にあっては、前記上階の出窓３の前面を躯体上の屋根７の軒先より内側に配置し、かつ該上階の出窓３の上端部を屋根７の軒先側に固定したので、上階の出窓３の庇は躯体上に敷設された屋根７の軒先部が兼ねることになり、よって、別途出窓用の庇を形成する必要がない。また、上階の出窓３の上辺部が屋根の軒先に沿うので、外観意匠性がよい。
【００１３】
請求項４の出窓の取付構造は、請求項１〜３のいずれかにおいて、前記上階の床１７を、桟材を矩形枠状に形成してなる枠体の上面に面材が貼設された床パネル１７で構成したものである。
【００１４】
したがって、前記床パネル１７の一部を外壁９より突出させ、この突出部分１７ａに上下階の出窓３，２を支持させる場合、該突出部分１７ａに、上階の出窓３の下端部を当接するとともに、下階の出窓２の上端部を当接したうえで、この突出部分１７ａを構成する床パネル１７の桟材１７ａを挟んで、上階の出窓３の下端部と下階の出窓２の上端部とにボルト（胴差ボルト）３０を挿通して緊結することにより行う。
【００１５】
請求項４の出窓の取付構造にあっては、出窓２，３を支持する上階の床が床パネル１７で構成されているので、パネル工法で構築された躯体に出窓を取付けるのに好適であるのは勿論のこと、出窓２，３が取付けられる側に敷設される床パネル１７を外側に所定長さ延出させることにより、該床パネル１７の一部を簡単に外壁から突出させることができる。
【００１６】
請求項５の出窓の取付構造は、請求項１〜３のいずれかにおいて、出窓を支持する上階の床を、床梁とこの床梁上に設けられた床板とで構成したものである。
【００１７】
したがって、前記床を外壁より突出させ、この突出部分に上下階の出窓を支持させる場合、床梁を突出させ、この突出した床梁に上階の出窓の下端部を当接するとともに、下階の出窓の上端部を当接したうえで、この突出部分の床梁を挟んで、上階の出窓の下端部と下階の出窓の上端部とにボルトを挿通して緊結することにより行う。
【００１８】
請求項５の出窓の取付構造にあっては、出窓を支持する上階の床が床梁とこの床梁上に設けられた床板とで構成されているので、在来の軸組工法で構築された躯体に出窓を取付けるのに好適であるのは勿論のこと、出窓が取付けられる側の床梁を外側に所定長さ延出させることにより、床の一部を簡単に外壁から突出させることができる。
【００１９】
【発明の実施の形態】
以下、本発明の出窓の取付構造の実施の形態の一例を説明する。
図１および図２は、本発明の出窓の取付構造を含む住宅１を示すものであり、図１が南側の立面図、図２が西側の立面図である。住宅１は２階建てのものであり、南側の壁面の１階と２階に、それぞれ、本発明の出窓の取付構造に係る出窓２，３が設けられている。
なお、図１および図２において、符号４は通常の窓、符号５はバルコニー、符号６は玄関、符号７は屋根をそれぞれ示す。
また、前記住宅１は、床、壁、屋根等をパネル用いて施工するパネル工法で構築されたものであり、前記パネルは、桟材を枠組みすることにより枠体を形成し、この枠体の少なくとも一方の面に合板等の面材を貼設することにより形成されたものである。
【００２０】
次に、前記出窓２，３の取付構造を説明する。
すなわち、まず、出窓２を取付ける躯体の１階の外壁８は、図３に示すように、左右に離間配置された一対の壁パネル１０，１０と、これら壁パネル１０，１０間の上下端部に配設され、該一対の壁パネル１０，１０を連結する小壁パネル１１と腰壁パネル１２とから構成されており、中央部には開口１３が形成されている。
また、出窓３を取付ける躯体の２階の外壁９は、左右に離間配置された一対の壁パネル１４，１４と、これら壁パネル１４，１４間の上端部に配設され、該一対の壁パネル１４，１４を連結する小壁パネル１５とから構成されており、中央部には開口１６が形成されている。
【００２１】
そして、前記外壁８の上端部には床パネル１７が敷き込まれ、この床パネル１７上に前記外壁９が立設され、さらに、これら外壁８と外壁９とは床パネル１７を貫通する胴差ボルト１８によって互いに強固に緊結されている。前記床パネル１７は、外壁８，９より突出されており、この突出部分１７ａに前記出窓２，３が支持されている。
なお、前記２階の外壁９の上端面には、結合桁２１が固定されており、この結合桁２１を介して外壁９の上端部が屋根７の軒先側に結合されるようになっている。
【００２２】
前記１階の外壁８に取付けられる出窓２は、図７に示すように、外壁８の開口１３の縦縁部から突出する一対の側板部２２，２２と、該側板部２２，２２の前端部に設けられた前板部２３とから構成された平面視略コ字状をなしている。
前記側板部２２は、図５に示すように、側板パネル２２ａと、この側板パネル２２ａの下側に離間して配設された横桟材２２ｂとから構成されており、これら側板パネル２２ａと横桟材２２ｂとの間に、サッシ枠等の建具枠を取付けるための開口２２ｃが形成されている。
【００２３】
また、前記前板部２３は、図６に示すように、等間隔で配設された４本の縦桟材２３ａ…と、隣接する縦桟材２３ａ，２３ａ間の上部にそれぞれ配設されて、該縦桟材２３ａ，２３ａにそれぞれ固定された３枚の前板パネル２３ｂ…と、隣接する縦桟材２３ａ，２３ａ間の下部に配設されて、該縦桟材２３ａ，２３ａにそれぞれ固定された３本の横桟材２３ｃ…とから構成され、前板パネル２３ｂ…と横桟材２３ｃ…との間に、サッシ枠等の建具枠を取付けるための３つの開口２３ｄ…が形成されている。なお、前記縦桟材２３ａは２本の半割材を接合することによって形成されている。
そして、前記構成の側板部２２と前板部２３とは、図５に示すように、側板部２２，２２の側板パネル２２ａ，２２ａの側端面と横桟材２２ｂ，２２ｂの端面とを、前板部２３の両脇の縦桟材２３ａ，２３ａに当接固着することによって、連結されている。
【００２４】
一方、前記２階の外壁９に取付けられる出窓３は、前記出窓２と同様に、図８に示すように、外壁９の開口１６の縦縁部から突出する一対の側板部２４，２４と、該側板部２４，２４の前端部に設けられた前板部２５とから構成された平面視略コ字状をなしている。
前記側板部２４は、図５に示すように、上下に離間して配設された上側板パネル２４ａと下側板パネル２４ｂとから構成されており、これら上側板パネル２４ａと、下側板パネル２４ｂとの間に、サッシ枠等の建具枠を取付けるための開口２４ｃが形成されている。上側板パネル２４ａは、その上端面が、前記屋根７の勾配に合わせて傾斜するように形成されている。
【００２５】
また、前記前板部２５は、前記前板部２３と同様に、図６に示すように、等間隔で配設された４本の縦桟材２５ａ…と、隣接する縦桟材２５ａ，２５ａ間の上部にそれぞれ配設されて、該縦桟材２５ａ，２５ａにそれぞれ固定された３枚の上前板パネル２５ｂ…と、隣接する縦桟材２５ａ，２５ａ間の下部に配設されて、該縦桟材２５ａ，２５ａにそれぞれ固定された３枚の下前板パネル２５ｃ…とから構成され、上前板パネル２５ｂ…と下前板パネル２５ｃ…との間に、サッシ枠等の建具枠を取付けるための３つの開口２５ｄ…が形成されている。なお、前記縦桟材２５ａは２本の半割材を接合することによって形成され、かつ、前記縦桟材２３ａの延長上に配置されている。
【００２６】
そして、前記構成の側板部２４と前板部２５とは、図５に示すように、側板部２４，２４の上側板パネル２４ａ，２４ａの側端面と下側板パネル２４ｂ，２４ｂの側端面とを、前板部２５の両脇の縦桟材２５ａ，２５ａに当接固着することによって、連結されている。また、前記前板部２５の上端面には、該前板部２５を屋根７に結合するための結合桁２６が固定されている。
【００２７】
前記構成の出窓２および３は以下のようにして前記床パネル１７の突出部１７ａに支持されている。すなわち、まず、前記１階の外壁８の腰壁パネル１２の上縁部には、図４に示すように、出窓２の床となるパネル２７が腰壁パネル１２から外側に水平に突出するように固定されている。
そして、前記出窓２の側板部２２，２２の横桟材２２ｂ，２２ｂを前記パネル２７のそれぞれの側端面に、前板部２３の横桟材２３ｃと縦桟材２３ａの下端部を前記パネル２７の前端面に当接して固着することにより、出窓２の下端部が腰壁パネル１２に固定されている。
【００２８】
さらに、前記側板部２２，２２の側板パネル２２ａ，２２ａの上端面と後端面を、それぞれ前記床パネル１７の突出部１７ａの下面と、前記壁パネル１０の前面に当接して固着するとともに、前板部２３の前板パネル２３ｂの上端面と縦桟材２３ａの上端面を前記突出部１７ａの下面に当接して固着することにより、前記出窓２の上端部が前記突出部１７ａと外壁８に固定されている。
【００２９】
また、前記出窓２を構成する側板部２２，２２と前板部２３は、前記床パネル１７の突出部１７ａを貫通する胴差ボルト３０…によって吊持されている。胴差ボルト３０は、側板部２２においては１本配置されており、前板部２３においては、図６に示すように、４本配置されている。
胴差ボルト３０によって、出窓２を吊持するには、図９に示すように、床パネル１７の突出部１７ａの先端側の桟材１７ｂとこの桟材１７ｂに当接して設けられた胴差１７ｃとの当接部分に、貫通孔１７ｄを形成し、この貫通孔１７ｄに胴差ボルト３０を挿通し、該胴差ボルト３０の下端部をさらに前記前板パネル２３ｂ（側板パネル２２ａ）の桟材２３ｅ（側板パネル２２ａの場合は桟材２２ｅ）に挿通したうえで、該胴差ボルト３０の下端部に座金を外挿してナット３１を螺合して締め付けることにより行う。なお、胴差ボルト３０の上端部にもナットを螺合するが、これについては後述する。
【００３０】
このようにして、躯体を構成する床パネル１７の突出部分１７ａに、出窓２を吊持すれば、出窓２を外壁８に支持させなくても、躯体に確実に支持させることができる。したがって、出窓２の側面側の開口２２ｃにサッシ枠等の建具枠を設けても、あるいは、外壁からの出窓の突出量を大きくしても、該出窓２を躯体に確実に支持させることができる。
また、前記突出部分１７ａが出窓２の庇となる上板を兼ねるので、上板を別途取付ける必要がなく、部品点数を削減することができる。
【００３１】
一方、前記２階の出窓３は以下のようにして、床パネル１７の突出部分１７ａに支持されている。
すなわち、図４に示すように、出窓３の側板部２４，２４の下側板パネル２４ｂ，２４ｂおよび前板部２５の下前板パネル２５ｃと縦桟材２５ａの下端部を、前記突出部分１７ａの上面に当接して固着することにより、出窓３の下端部が突出部分１７ａに固定されている。さらに、前記出窓３を構成する側板部２４，２４と前板部２５は、前記床パネル１７の突出部１７ａを貫通する前記胴差ボルト３０…によって支持されている。
つまり、図９に示すように、下端部が前記出窓２に固定された前記胴差ボルト３０…の上端部を前記下側板パネル２４ｂの桟材２４ｅ、下前板パネル２５ｃの桟材２５ｅに挿通したうえで、座金を外挿しナット３１を螺合して締め付けることによって、出窓３の下端部が床パネル１７の突出部分１７ａに支持されている。
【００３２】
このようにして、前記床パネル１７の突出部分１７ａに２階の出窓３を支持させることによって、１階の出窓２と２階の出窓３とを一体的に躯体に確実に支持させることができる。
また、前記突出部１７ａの上下にそれぞれ出窓２，３が支持されているので、これら上下の出窓２，３は一体的となり、外観意匠上スッキリしたものとなる。
【００３３】
前記出窓３の上端部は以下のようにして、屋根７の軒先側に固定されている。すなわち、図４に示すように、まず、出窓３の前面は前記屋根７の軒先より内側に配置されている。また、出窓３の側板部２４を構成する上側板パネル２４ａ，２４ａの後端面が前記外壁９を構成する小壁パネル１５に当接されて固着されるとともに、前記上側側パネル２４ａ，２４ａの上端面が前記屋根７の軒先側の下面に当接されて固着され、さらに、前板部２５の上端面が前記結合桁２６を介して屋根７の軒先側の下面に結合されることによって、出窓３の上端部が屋根７の軒先側に固定されている。
【００３４】
上記のように、２階の出窓３の前面を屋根７の軒先より内側に配置し、かつ該出窓３の上端部を屋根７の軒先側に固定することにより、２階の出窓３の庇は前記屋根７の軒先部が兼ねることになり、よって、別途出窓用の庇を形成する必要がなく、部品点数を削減することができる。また、２階の出窓３の上辺部が屋根７の軒先に沿うので、外観意匠上スッキリしたものとなる。
【００３５】
なお、前記実施の形態では、本発明の出窓の取付構造を、パネル工法で構築される場合を例にとって説明したが、本発明はこれに限ることなく、在来の軸組工法で構築される場合にも適用できる。
この場合、出窓を支持する床は、床梁とこの床梁上に設けられる床板とで構成されるが、該床を外壁より突出させるには、床梁を突出させ、この突出した床梁に２階の出窓３の下端部を当接するとともに、１階の出窓２の上端部を当接したうえで、この突出部分の床梁を挟んで、２階の出窓３の下端部と１階の出窓２の上端部とに胴差ボルト３０を挿通して緊結することにより前記床で出窓２，３を支持するようにすればよい。
【００３６】
【発明の効果】
以上説明したように、本発明の請求項１の出窓の取付構造は、上階の床の一部を外壁より突出させ、この突出部分に下階の出窓を吊持したものであるから、出窓を外壁に支持させなくても、躯体に確実に支持させることができる。
したがって、出窓の側面側にサッシ枠等の建具枠を設けても、あるいは、外壁からの出窓の突出量を大きくしても、該出窓を躯体に確実に支持させることができる。
また、前記突出部分が出窓の庇となる上板を兼ねるので、上板を別途取付ける必要がなく、部品点数を削減することができるとともに、出窓の施工も容易になる。
【００３７】
請求項２の出窓の取付構造は、請求項１において、前記外壁より突出している上階の床の突出部分に、上階の出窓を支持させたものであるから、下階の出窓と上階の出窓とを一体的に躯体に確実に支持させることができる。
また、前記突出部分が上階の出窓の床となるので、別途出窓用の床を形成する必要がなく、部品点数を削減することができるとともに、出窓の施工も容易になる。
さらに、前記突出部の上下にそれぞれ上階の出窓と下階の出窓が支持されているので、これら上下の出窓は外観視において、一体的なものとなってスッキリとなり、外観意匠性が高まる。
【００３８】
請求項３の出窓の取付構造は、請求項２記載において、前記上階の出窓の前面を躯体上に敷設された屋根の軒先より内側に配置し、かつ該上階の出窓の上端部を屋根の軒先側に固定したものであるから、上階の出窓の庇は躯体上の屋根の軒先部が兼ねることになり、よって、別途出窓用の庇を形成する必要がないので、部品点数を削減することができるとともに、出窓の施工も容易になる。
また、上階の出窓の上辺部が屋根の軒先に沿うので、つまり屋根のラインと出窓の上辺部とに段差が生じることがないので、外観意匠性が高まる。
【００３９】
請求項４の出窓の取付構造は、請求項１〜３のいずれかにおいて、前記上階の床を、桟材を矩形枠状に形成してなる枠体の上面に面材が貼設された床パネルで構成したものであるから、パネル工法で構築された躯体に出窓を取付けるのに好適であるのは勿論のこと、出窓が取付けられる側に敷設される床パネルを外側に所定長さ延出させることにより、該床パネルの一部を簡単に外壁から容易に突出させることができる。
【００４０】
請求項５の出窓の取付構造は、請求項１〜３のいずれかにおいて、前記上階の床を、床梁とこの床梁上に設けられた床板とで構成したものであるから、在来の軸組工法で構築された躯体に出窓を取付けるのに好適であるのは勿論のこと、出窓が取付けられる側の床梁を外側に所定長さ延出させることにより、床の一部を簡単に外壁から突出させることができる。
【図面の簡単な説明】
【図１】本発明の出窓の取付構造を含む住宅を示すものであり、住宅の南側の立面図である。
【図２】同、住宅の西側の立面図である。
【図３】本発明の出窓の取付構造の実施の形態の一例を説明するもので、出窓を取付ける外壁を示す正面図である。
【図４】同、住宅の外壁と出窓の前面部を示す要部の縦断面図である。
【図５】同、出窓の側面図である。
【図６】同、出窓の正面図である。
【図７】同、１階の出窓の平面図である。
【図８】同、２階の出窓の平面図である。
【図９】同、床パネルの上下に出窓を取付けた状態の要部の縦断面図である。
【符号の説明】
２  １階の出窓（下階の出窓）
３  ２階の出窓（上階の出窓）
７  屋根
８  １階の外壁
９  ２階の外壁
１７  床パネル（上階の床）
１７ａ  突出部分
３０  胴差ボルト
【図１】
0003556345.tif 000002
【図２】
0003556345.tif 000003
【図３】
0003556345.tif 000004
【図４】
0003556345.tif 000005
【図５】
0003556345.tif 000006
【図６】
0003556345.tif 000007
【図７】
0003556345.tif 000008
【図８】
0003556345.tif 000009
【図９】
0003556345.tif 000010